(57)【要約】      （修正有）【課題】眼鏡レンズ固定構造及びこの構造を用いた眼鏡を提供する。【解決手段】眼鏡レンズ固定構造は、レンズ１と連結具２とを含み、前記レンズの周縁１１に凹溝１２が開けられており、前記連結具の端部２１は前記凹溝に挿入されており、一つのボルト３がレンズの外面１３からレンズ内に通してレンズの凹溝内にある連結具の端部にねじり込んでいる。本眼鏡レンズ固定構造及びこの構造を用いた眼鏡において、眼鏡レンズの周縁に連結具の端部と対応する形状の凹溝を設けることにより、連結具の端部が凹溝に挿入した後止められて、揺れを生じないようにし、また、ボルトを使用してレンズに通してレンズの凹溝内にある連結具の端部にねじり込んで、レンズと連結具とがしっかりと一体に固定されるようにする。前記ボルトは連結具の端部にねじり込むだけで、レンズに突出しないので、ボルトの先端が人の体に対する傷害を避けている。【選択図】図２
0003175858.tif 000002
【実用新案登録請求の範囲】
【請求項１】
レンズと連結具とを含む眼鏡レンズ固定構造において、前記レンズの周縁に凹溝が開けられており、前記連結具の端部は前記凹溝に挿入されており、一つのボルトがレンズの外面からレンズ内に通してレンズの凹溝内にある連結具の端部にねじり込んでいることを特徴とする眼鏡レンズ固定構造。
【請求項２】
前記連結具の端部はそれと並列する分岐部品を有し、該分岐部品は延びてレンズの外面に密接されており、前記ボルトは順次に該分岐部品及びレンズを通してレンズの凹溝内にある連結具の端部にねじり込んでいることを特徴とする請求項１に記載の眼鏡レンズ固定構造。
【請求項３】
前記凹溝の形状は、前記連結具の端部の形状と対応していることを特徴とする請求項２に記載の眼鏡レンズ固定構造。
【請求項４】
請求項１に記載の眼鏡レンズ固定構造を用いた眼鏡であって、レンズとレンズを固定する眼鏡フレーム連結具とを含む眼鏡において、前記レンズの周縁と眼鏡フレーム連結具との連結箇所には凹溝が開けられており、前記眼鏡フレーム連結具の端部は前記凹溝に挿入されており、一つのボルトがレンズの外面からレンズ内に通してレンズの凹溝内にある眼鏡フレーム連結具の端部にねじり込んでいることを特徴とする眼鏡。
【請求項５】
前記眼鏡フレーム連結具の端部はそれと並列する分岐部品を有し、該分岐部品は延びてレンズの外面に密接されており、前記ボルトは順次に該分岐部品及びレンズを通してレンズの凹溝内にある眼鏡フレーム連結具の端部にねじり込んでいることを特徴とする請求項４に記載の眼鏡。
【請求項６】
前記凹溝の形状は、前記眼鏡フレーム連結具の端部の形状と対応していることを特徴とする請求項５に記載の眼鏡。
【考案の詳細な説明】
【技術分野】
【０００１】
本考案は眼鏡の構造に関し、特に、眼鏡レンズ固定構造及びこの構造を用いた眼鏡に関するものである。
【背景技術】
【０００２】
眼鏡は視力を矯正し、補助的な治療を行い、イメージを向上するのに不可欠な工具である。
【０００３】
科学の発達及び美的観念の変化につれて、眼鏡はすでに最初の縁有り眼鏡から縁無し眼鏡に変換されている。縁無し眼鏡のほうが重量が軽く、視野が広く、また美観にも優れている。
従来技術における縁無し眼鏡の構造は、通常、レンズと眼鏡フレーム連結具とを含んでいる。前記眼鏡フレーム連結具は、レンズを固定する時、一つのボルトで眼鏡フレームの端部とレンズとを互いに固定するのであるが、ボルトの先端がレンズの内面に突出してしまう。このレンズの内面に突出したボルト先端を遮蔽するように、例えばゴムスリーブを覆うことなど対策をすることは可能であるものの、ボルト先端がレンズの内面に突出した現実は相変わらず変わらない。仮に、レンズが正面の衝撃を受けたら、このレンズの内面に露出したボルト先端が人の顔を傷つけやすく、人の体に傷害をもたらすことになる。
【考案の概要】
【考案が解決しようとする課題】
【０００４】
本考案は、従来技術における弊害に対してなされたものであり、眼鏡レンズ固定構造及びこの構造を用いた眼鏡を提供する。
【課題を解決するための手段】
【０００５】
本考案の前記眼鏡レンズ固定構造は、レンズと連結具とを含み、前記レンズの周縁に凹溝が開けられており、前記連結具の端部は前記凹溝に挿入されており、一つのボルトがレンズの外面からレンズ内に通してレンズの凹溝内にある連結具の端部にねじり込んでいる。
【０００６】
本考案の前記眼鏡レンズ固定構造において、前記連結具の端部はそれと並列する分岐部品を有し、該分岐部品は延びてレンズの外面に密接されており、前記ボルトは順次に該分岐部品及びレンズを通してレンズの凹溝内にある連結具の端部にねじり込んでいる。
【０００７】
本考案の前記眼鏡レンズ固定構造において、前記凹溝の形状は前記連結具の端部の形状と対応している。
【０００８】
本考案は、前記眼鏡レンズ固定構造を用いた眼鏡を更に提供し、前記眼鏡は、レンズとレンズを固定する眼鏡フレーム連結具とを含み、前記レンズの周縁と眼鏡フレーム連結具との連結箇所には凹溝が開けられており、前記眼鏡フレーム連結具の端部は前記凹溝に挿入されており、一つのボルトがレンズの外面からレンズ内に通してレンズの凹溝内にある眼鏡フレーム連結具の端部にねじり込んでいる。
【０００９】
本考案の前記眼鏡において、前記眼鏡フレーム連結具の端部はそれと並列する分岐部品を有し、該分岐部品は延びてレンズの外面に密接されており、前記ボルトは順次に該分岐部品及びレンズを通してレンズの凹溝内にある眼鏡フレーム連結具の端部にねじり込んでいる。
【００１０】
本考案の前記眼鏡において、前記凹溝の形状は、前記眼鏡フレーム連結具の端部の形状と対応している。
【考案の効果】
【００１１】
本考案の前記の眼鏡レンズ固定構造及びこの構造を用いたが眼鏡において、眼鏡レンズの周縁に連結具の端部と対応する形状の凹溝を設けることにより、連結具の端部が凹溝に挿入した後止められて、揺れを生じないようにし、また、ボルトを使用してレンズに通してレンズの凹溝内にある連結具の端部にねじり込んで、レンズと連結具とがしっかりと一体に固定されるようにする。前記ボルトは連結具の端部にねじり込むだけで、レンズに突出しないので、ボルトの先端が人の体に対する傷害を避けている。
【図面の簡単な説明】
【００１２】
【図１】本考案の前記眼鏡レンズ固定構造の概略図である。
【図２】本考案の前記眼鏡レンズ固定構造の他の概略図である。
【図３】本考案の前記の眼鏡レンズ固定構造を用いた眼鏡の概略図である。
【考案を実施するための形態】
【００１３】
以下、当業者が明細書の文字を参照して実施できるように、図面に合わせて、本考案に対して更に詳細な説明をする。
【００１４】
図１に示すように、本考案の前記眼鏡レンズ固定構造は、レンズ１と連結具２を含み、前記レンズ１の周縁１１には凹溝１２が開けられており（前記凹溝１２を開ける位置は連結具２とレンズ１との連結箇所に位置すべきである）、前記連結具２の端部２１は前記凹溝１２に挿入されており、また一つのボルト３がレンズ１の外面１３からレンズ１内に通してレンズ１の凹溝１２内にある連結具の端部２１にねじり込んでいる。本考案において、前記凹溝１２の形状は前記連結具の端部２１の形状と対応して、該連結具の端部２１がちょうど凹溝１２内に挿入できるようにし、連結具の端部２１が凹溝１２に挿入した後に生じる上下・左右の揺れを避けている。レンズ１の外面１３からレンズに通したボルト３は、連結具の端部２１にねじり込むだけであり、連結具の端部から伸び出すことがないので、従来技術におけるボルトの端部が人の体に傷害をもたらすというようなことは生じない。
【００１５】
さらに、図２に示すように、本考案の前記眼鏡レンズ固定構造は、連結具の端部２１と並列する分岐部品２２をさらに設けることができ、該分岐部品２２の形状は連結具の端部２１の形状と同じか少し薄くてよい。使用する時、前記分岐部品２２は延びてレンズの外面１３に密接されており、その時、前記ボルト３は順次に該分岐部品２２及びレンズ１を通して、レンズの凹溝１２内にある連結具の端部２１にねじり込む。このような構造を用いると、更によくレンズを固定することができ、レンズの損傷を有効的に防止することができる。
【００１６】
本考案は、前記眼鏡レンズ固定構造を用いた眼鏡を更に提供する。図３に示すように、前記眼鏡は、レンズ１０１，１０２及びレンズを固定する眼鏡フレーム連結具を含み、前記眼鏡フレーム連結具は、具体的にテンプル３１，３２及びブリッジ３３を含むことができる。そのうち、ブリッジ３３はレンズ１０１とレンズ１０２とを連結しており、テンプル３１はレンズ１０１に連結しており、テンプル３２はレンズ１０２に連結している。前記レンズの周縁と眼鏡フレーム連結具との連結箇所には凹溝が開けられており、前記眼鏡フレーム連結具の端部を前記凹溝に挿入させており、また、一つのボルトがレンズの外面からレンズ内に通してレンズの凹溝内にある眼鏡フレーム連結具の端部にねじり込んでいる。本考案の前記眼鏡レンズ固定構造を用いた眼鏡において、前記凹溝の形状は前記眼鏡フレーム連結具の端部の形状と対応している。前記眼鏡フレーム連結具の端部には該端部と並列する分岐部品を更に設けることができ、前記分岐部品は延びてレンズの外面に密接されており、前記ボルトは順次に該分岐部品及びレンズを通して、レンズの凹溝内にある眼鏡フレーム連結具の端部にねじり込む。
【００１７】
本考案の実施形態は上記のように開示されているものの、明細書と実施形態で説明したものに限定されるものではなく、本考案に適する様々な分野に適用できる。当業者は、容易に別の修正を実現することができ、請求の範囲及び同等範囲に限られた一般的な概念を逸脱しない限り、本考案は特定された細部とここで示して描写した図面の例に限定されない。
【符号の説明】
【００１８】
１  レンズ
２  連結具
３  ボルト
１１  レンズの周縁
１２  凹溝
１３  レンズの外面
２１  連結具の端部
２２  分岐部品
３１  テンプル
３２  テンプル
３３  ブリッジ
１０１  レンズ
１０２  レンズ
【図１】
0003175858.tif 000003
【図２】
0003175858.tif 000004
【図３】
0003175858.tif 000005